(57)【要約】      （修正有）【課題】移動する体験展示会場としての技術を提供する。【解決手段】車輛室内に防音設備４を設け、車輛の側面に、サイドパネル２を設け、このサイドパネル２の適当なる位置に支持脚１６を着脱自在に設け、これらを簡易ステージとして構成することで、販促、イベント企画催事が行えるようにする。また天井部位にはソーラーパネル３を設け、さらに駐車させている時は車輛全体が揺れないようにする床面振動防止伸縮脚５を車輛シャシーの四隅に設ける。さらには車両室内に、インターネット環境含む音響設備、録音設備（各種メディア媒体等）、電源を整備して、レコーディング体験手段６として設ける。またさらに車内空間に於いてテーブル、イスおよびベット、またショーウインド、照明等を設置し、各種の一対一で触れ会える、学習や健康に関するマンツーマン式体験手段７を設ける。【選択図】図１
2010143558.tif 000002
【特許請求の範囲】
【請求項１】
キャンピングカーおよびバスやトラック等を目的に応じた、企画車輛（１）に改装するが、まず車輛室内に防音設備（４）を設け、車輛の側面に、サイドパネル（２）を設け、このサイドパネル（２）の適当なる位置に、支持脚（１６）を着脱自在に設け、これらを簡易ステージ（１２）として構成することで、販促、イベント企画催事が行えるようにする、また天井部位にはソーラーパネル（３）を設け、さらに駐車させている時は車輛全体が揺れないようにする、床面振動防止伸縮脚（５）を車輛シャシーの四隅に設ける、さらには車両室内に、インターネット環境含む音響設備、録音設備（各種メディア媒体等）、電源を整備して、レコーディング体験手段（６）として設ける、またさらに車内空間に於いてテーブル、イスおよびベット、またショーウインド、照明等を設置し、各種の一対一で触れ会える、学習や健康に関する、マンツーマン式体験手段（７）を設ける、このような特徴を持った、企画車輛（１）に改装した、プチ体験アンテナカーである。
【請求項２】
この企画車輛（１）は、顧客（８）のリクエストにより、音楽配信体験設備にて、レコーディング体験による顧客本人の歌声を各メディア媒体に録音し、持ち帰る楽しみを提供することで、顧客（８）からメディア製作料（１４）を得るシステムと、またあらゆる業界の事業主（９）と企画車輛（１）にて、企画営業・企画催事・イベント等を主体に実施する、期間設定等により契約（１１）し、企画車輛（１）は事業主（９）より、この契約（１１）により、企画営業・企画催事・イベント等契約料金（１０）を得るシステムと、また事業主（９）の商品の商品販売広告宣伝等の代理営業によるバックマージン（１５）を得るシステムと、さらに事業主（９）の学習や健康テーマに於いては、企画車輛（１）にて入門プチ体験（１７）を行い、本格的な体験や注文が整うように、事業主（９）の店頭へ顧客（８）を誘導して、それにより事業主（９）が顧客より体験販売料金（１３）を得るシステムであり、さらに組立式の簡易ステージ（１２）にて、販促やイベント、企画催事が行える設備を有し、この企画車輛（１）は顧客要求や事業主要求に敏速に対応できる、移動式の企画車輛である、このような特徴よりなる請求項１記載の、プチ体験アンテナカーである。
【発明の詳細な説明】
【技術分野】
【０００１】  本発明は街や繁華街、ショッピングモールおよびアウトレット等にて、気軽に自分を研いたりとか、手軽にプチ体験（例、美容・リラクゼーション・整体・歌教室）ができる場所として、また何処にでも移動できる、車輛の企画技術に関するものである。
【背景技術】
【０００２】  従来、車輛を利用したものでは、パン販売、焼芋・焼栗販売、魚・野菜販売等、の販売車がある。また、宣伝・広告目的のＰＲ車両も数多く見受けられる。さらには、車両で地域を移動する、車輛図書館等がある。【０００３】  こうした中で近年、登録実用第３０５０２７３号「移動展示車」のごとく、商品棚を備え、移動して自分達で揃えた商品を展示販売する。また登録実用第３０６８０４８号「展示車」は貴金属・時計・眼鏡・補聴器等の貴重品専門販売車が公開されている。
さらに特開２００１−３３８１６３「移動販売システム」は、商品を積載して巡回販売するもので、現地で在庫切れの場合は車内のインターネット端末機器で顧客に見せて、商品注文を貰う。また特開平８−３２７５０「ハンバーガー類の移動販売」のようなものとか、特開平８−１５６６７６「飲料移動販売車」のように、イベント会場等に、移動して、カウンター付の店として、ビール類を販売する技術等が公開されている。
【発明の開示】
【発明が解決しようとする課題】
【０００４】  しかしながら、これらの技術は画統一的なもので、ほとんどは商品を積載しての販売車輛として、従来からの単純な営業任務の域を脱していない。
この問題点を改善し、一歩進んだ営業展開を目指して本発明はなされたのである。
【課題を解決するための手段】
【０００５】  本発明は「商品や物品の販売」を越えて、「自ら研く体験型テーマ販売」が主になる。まずこの顧客（８）の感性に響く体験テーマを創造しなければならない。それには体験会場の質的要素を最大限に高める必要がある。これには、キャンピングカーおよびバスやトラック等を目的に応じた、魅力溢れる企画車輛（１）に改装し形成する。まずこの車輛の側面に折畳自在の展開および組立可能な、サイドパネル（２）を設ける。このサイドパネル（２）の適当なる位置に、支持脚（１６）を簡単にネジ込みだけで着脱出来るように設ける。該パネルは車輛床平面に沿うて折畳を広げて、支持脚（１６）を装着すれば、テーブル状の簡易ステージ（１２）になる。またエコロジー推進を兼ねて車輛の天井部位には電源手段としてソーラーパネル（３）を設ける。さらに体験会場として、車輛を駐車させている時は車輛全体が揺れないようにする、床面振動防止伸縮脚（５）を車輛シャシーの四隅に設ける。これにより、体験会場に没頭してもらうムードを高める手助けとなる。また、車輛室内には防音設備（４）を設け、車外の雑音等を、完全にシャットアウトし、スタジオ環境にする。さらには、車輛室内に、インターネット環境を含む音響設備、録音設備（各種メディア媒体等）、電源を整備して、レコーディング体験手段（６）を設ける。これにより、楽しく歌の練習をされている顧客（８）は自分の吹き込んだ各種メディア媒体等（例えば、ＣＤ・ＤＶＤ・ＭＤ・ＳＤカード・ｅｔｃ）が所持できるのである。またさらに車内空間に於いてテーブルやイスおよびベッド等、またショーウインド、照明等を設置し、各種の一対一で触れ会える、マンツーマン式体験手段（７）等を設ける。例をあげれば、ネイルアート等の体験会場として設ける。【０００６】  この企画車輛（１）は、顧客（８）のリクエストにより、音楽配信体験設備にて、レコーディング体験による、顧客本人の歌声を各メデイア媒体に録音して、それを持ち帰る楽しみを提供することで、顧客（８）からメディア製作料（１４）を得るシステムを持ち、さらにあらゆる業界の事業主（９）と企画車輛（１）に於いて、企画営業・企画催事・イベント等を主体に実施するために、期間設定等により契約（１１）をする。この契約（１１）により企画車輛（１）は事業主（９）より、企画営業・企画催事・イベント等契約料金（１０）を得るシステムを持つ。また、事業主（９）の扱う商品群の商品販売広告宣伝等の代理営業を行うことで、バックマージン（１５）を得るシステムを持ち、さらに事業主（９）の学習や健康テーマに於いては、企画車輛（１）にて、顧客（８）に入門プチ体験（１７）を行い、本格的な体験や注文が整うように、事業主（９）の店頭へ顧客（８）を誘導して、それにより、事業主（９）が顧客より体験販売料金（１３）を得るシステムを持つ。さらに組立式の簡易ステージ（１２）にて、販促やイベント、企画催事が行える設備を有し、この企画車輛（１）は顧客要求や事業主要求に敏速に対応できる、移動式の企画車輛である。
つまり、企画車輛（１）を何処へでも顧客（８）のいる、街・繁華街・ショッピングモール・アウトレット等へ出動させて、事業主（９）が扱う商品ノウハウの使い方、商品の良さ、その仕組や技術技能および教材等の、プチ体験を企画車輛内にて顧客に、肌で味わってもらう。またサイドパネル（２）等で、簡易ステージ（１２）を組立てて、イベントやミニコンサート等の会場にして体験ＰＲを盛り上げ、プチ体験した顧客（８）の感動を、本格的な体験や注文に繋がるように、事業主（９）の店等へ誘導する。また、企画車輛（１）は非常に優れた録音スタジオに匹敵する要素を備えており、顧客（８）は本格的なレコーデイング体験を味わえるのである。このような特徴のシステムよりなる、プチ体験アンテナカーである。
【発明の効果】
【０００７】１．企業出展による体験展示会場として、街・繁華街・ショッピングモール・アウトレット等の現地でＰＲするので、直接に顧客は体験することで、最新の商品内容や技術技能を手に取って理解が深まる為、顧客は安心して、企画車輛側と企画契約提携している、事業者に対して、出向いての集客メリットがあり、注文増大につながる。
２．現在はコミュニケーションを中核に無限な要素が取り巻く時代、組合わせも自由な空間と発想のスタイルで展開できる、感性を大切にした、コミニュケーションプロデュース事業が構築できる。
３．移動する企画車両は、その地域の店舗、企業等も紹介できるので、地域の活性化に貢献できる。また場所によってターゲット、イベント内容が変えられるので男女年齢に関係なく全ての人が、楽しめ社会に貢献できるので継続的繁栄が望める。
【発明を実施するための最良の形態】
【０００８】  本構成は、車輛室内に素晴らしい防音設備（４）を備え、訪れた顧客（８）のリクエストにより、録音スタジオ感覚でレコーデイング体験ができ、顧客本人の歌声等を各メディア媒体に録音したものを、持って帰れると云う感動を生み出し、また企画車輛（１）を営業活動として、各企業あるいは事業主（９）と、企画営業・企画催事・イベント等の契約（１１）を交わして、企画車輛（１）を武器に、あらゆる場所に移動して出向き、事業主（９）の商品を出展し、且つ集まった顧客（８）に、そのノウハウを体験させたりして、次第に顧客の購買力を高めて行く、感動体験型ニュービジネスである。それには、この企画車両（１）の企画力を遺憾なく発揮させる魅力が必要になる。そこで、キャンピングカーおよびバスやトラック等を目的に応じた、魅力溢れる体験展示コーナーや録音スタジオのような、企画車輛（１）に改装し形成する。なお、ウィング付車輛を利用して改装した企画車輛（１）はベストモードである。【０００９】  まずこの車輛の側面に折畳自在の展開および組立可能な、サイドパネル（２）を設ける。普段、サイドパネル（２）は宣伝広告看板等として設けられている。このサイドパネル（２）の適当なる位置に、支持脚（１６）を簡単にネジ込みだけで着脱出来るように設ける。該パネルは車輛床平面に沿うて折畳を広げて、支持脚（１６）を装着すれば、テーブル状の簡易ステージ（１２）になる。ここでウイング付車輛を利用して企画車輛（１）を形成すれば、車輛床はそのまま簡易ステージ（１２）にする事も可能であり、サイドパネル（２）は必要ない場合もあり、これはベストモードである。
またエコロジー推進を兼ねて車輛の天井部位には電源手段としてソーラーパネル（３）を設ける。さらに体験会場として、車輛を駐車させている時は車輛全体が揺れないようにする、床面振動防止伸縮脚（５）を車輛シャシーの四隅に設ける。これにより、プチ体験会場としての落ち着きのあるムードを高める手助けとなる。また、さらに車輛室内には防音設備（４）を設け、車外からの雑音等を、完全にシャットアウトし、静かなスタジオ環境にする。さらには、車輛室内に、インターネット環境を含む音響設備、録音設備（各種メディア媒体等）、電源を整備して、レコーディング体験手段（６）を設ける。これにより、楽しく歌の練習をされている顧客（８）は自分の吹き込んだ、各種メディア媒体等（例えば、ＣＤ・ＤＶＤ・ＭＤ・ＳＤカード・ｅｔｃ）が所持できるのである。またさらに車内空間に於いてテーブルやイスおよびベッド等、またショーウインド、照明等を設置し、各種の一対一で触れ会える、マンツーマン式体験手段（７）等を設ける。例えば、ネイルアート等のプチ体験会場として、また美容健康関連のプチ体験会場として設ける。【００１０】  このプチ体験展示会場としての、企画車輛（１）は、訪れた顧客（８）のリクエストにより、優れた高性能な音楽配信体験設備にて、レコーディング体験により、顧客本人の歌声を各メデイア媒体に録音して、それを持ち帰る楽しみを提供することで、顧客（８）からは、メディア製作料（１４）を得るシステムを確立し、さらにあらゆる業界の企業あるいは事業主（９）と企画車輛（１）に於いて、企画営業・企画催事イベント等をスムーズに実施するためにも期間設定等により、契約（１１）をする。この契約（１１）により、企画車輛（１）は事業主（９）より、企画営業・企画催事・イベント等契約料金（１０）を得るシステムを確立する。また、事業主（９）の扱う商品群の商品販売広告宣伝等の代理営業を行うことで、バックマージン（１５）を得るシステムを確立し、さらに事業主（９）の学習テーマ、健康テーマ、美容テーマ等に於いては、企画車輛（１）にて、顧客（８）に対して入門プチ体験（１７）を行い、本格的な体験や注文が整うように、事業主（９）の店頭へ顧客（８）を誘導して、それにより、事業主（９）が顧客より体験販売料金（１３）を得るシステムを確立する。本発明は以上のような構成であり、これを使用実施するときには、【００１１】  企画車輛（１）は組立式の簡易ステージ（１２）にて、販促やイベント、企画催事が行える設備を具備しており、またこの企画車輛（１）は、顧客要求や事業主要求に、敏速に対応できる、移動式の企画車輛であるので、企画車輛（１）を何処へでも顧客（８）のいる、街・繁華街・ショッピングモール・アウトレット等へ出動させて、事業主（９）が扱う商品ノウハウの使い方、商品の良さ、その仕組や技術技能および教材等のプチ体験を、企画車輛内にて顧客に肌で味わってもらう。またサイドパネル（２）等で、簡易ステージ（１２）を組立てて、イベントやミニコンサート等の会場にして体験ＰＲを盛り上げ、プチ体験した顧客（８）の感動を、本格的な体験や注文に繋がるように、事業主（９）の店等へ誘導する。また、企画車輛（１）は非常に優れた録音スタジ��に匹敵する要素を備えており、訪れた顧客（８）は本格的なレコーデイング体験を味わえるのである。また、企画車輛（１）は、ウィング付車輛の改装をベストモードとして採用したい。このように企画車輛（１）を使用し実施する。
【図面の簡単な説明】
【００１２】
【図１】  本発明の斜視図である。
【図２】  本発明の実施説明図である。
【図３】  本発明のシステム説明図である。
【符号の説明】
【００１３】    １  企画車輛
２  サイドパネル
３  ソーラーパネル
４  防音設備
５  床面振動防止伸縮脚
６  レコーディング体験手段
７  マンツーマン式体験手段
８  顧客
９  事業主
１０  企画営業・企画催事・イベント等契約料金
１１  契約
１２  簡易ステージ
１３  体験販売料金
１４  メディア製作料
１５  バックマージン
１６  支持脚
１７  入門プチ体験
【図１】
2010143558.tif 000003
【図２】
2010143558.tif 000004
【図３】
2010143558.tif 000005